【手続補正書】
【提出日】平成15年11月28日(2003.11.28)
【手続補正１】
【補正対象書類名】明細書
【補正対象項目名】特許請求の範囲
【補正方法】変更
【補正の内容】
【特許請求の範囲】
【請求項１】
印刷手段を有し、通信回線によりネットワークに接続される通信装置と、前記通信装置と無線チャネルによりデータ通信を行うデータ端末とから構成される通信システムであって、
前記データ端末は、
前記通信装置へ送出するデータが前記通信回線へ送信するデータか、前記印刷手段へ送信するデータかを示すデータ種別情報を付加してデータを送出する手段を有し、
前記通信装置は、
前記無線チャネルにより前記データ端末から受信したデータのデータ種別情報を認識する認識手段と、
前記認識手段による認識結果に応じて、前記データ端末から受信したデータの送信先を特定する送信先特定手段とを有することを特徴とする通信システム。
【請求項２】
前記通信装置と前記データ端末との間は複数の無線チャネルによりデータ通信を行うことを特徴とする請求項１に記載の通信システム。
【請求項３】
前記データ端末は、前記通信装置にデータを送出したい場合に、既に前記通信装置との間で無線チャネルが確立されていれば、無線チャネルの確立を要求しないことを特徴とする請求項２に記載の通信システム。
【請求項４】
前記通信装置は、前記通信回線へ送信するデータの場合には、前記通信回線への接続処理を行い、前記受信したデータの速度変換を行うことを特徴とする請求項１に記載の通信システム。
【請求項５】
前記通信装置は、前記印刷手段へ送信するデータを受信中に前記通信回線へ送信するデータを受信した場合は、前記通信回線への発信処理を開始することを特徴とする請求項１に記載の通信システム。
【請求項６】
前記通信装置は、更に、
前記データ端末から受信したデータが前記通信回線へ送信するデータの場合には前記データの速度変換を行う手段と、
前記速度変換したデータを前記通信回線へ送信する手段と、
前記受信したデータが印刷手段へ送信するデータの場合には受信データの中で無線データ通信プロトコルヘッダを削除したデータをメモリに格納する手段と、
前記メモリに格納したデータを所定のフォーマットに変換する手段と、
前記変換したデータを前記印刷手段へ転送する手段とを有することを特徴とする請求項１に記載の通信システム。
【請求項７】
前記通信装置は、更に、
前記通信回線へのデータ送信動作を終了する際に、印刷動作が行われているか否かを判断する手段と、
前記印刷動作が行われていない場合には前記通信回線との接続を切断し、前記無線チャネルも切断する手段と、
前記印刷動作が行われている場合には前記無線チャネルを切断しないで、前記通信回線との接続を切断する手段とを有することを特徴とする請求項１に記載の通信システム。
【請求項８】
前記通信装置は、更に、
前記印刷動作を終了する際に、前記通信回線へのデータ送受信動作が行われているか否かを判断する手段と、
前記通信回線へのデータ送受信動作が行われていない場合には前記無線チャネルを切断する手段と、
前記通信回線へのデータ送受信動作が行われている場合には前記無線チャネルを切断しない手段を有することを特徴とする請求項１に記載の通信システム。
【請求項９】
前記通信装置は、更に、
アナログ通信回線に接続する手段と、
受信したデータが通信回線へ送信するデータである場合には、前記データ端末から受信したデータをアナログ信号に変換する変調手段と、
変調したデータを前記アナログ通信回線へ送信する手段とを有することを特徴とする請求項１に記載の通信システム。
【請求項１０】
印刷手段を有し、通信回線によりネットワークに接続される通信装置と、前記通信装置と無線チャネルによりデータ通信を行うデータ端末とから構成される通信システムの通信方法であって、
前記通信装置へ送出するデータが前記通信回線へ送信するデータか、前記印刷手段へ送信するデータかを示すデータ種別情報を付加してデータを送出し、
前記無線チャネルにより前記データ端末から受信したデータのデータ種別情報を認識し、
認識結果に応じて、前記データ端末から受信したデータの送信先を特定する、各ステップを有することを特徴とする通信システムの通信方法。
【請求項１１】
コンピュータに請求項１０に記載された通信システムの通信方法を実行させるためのプログラムを記録したコンピュータ読み取り可能な記憶媒体。
【請求項１２】
通信回線に接続する手段と、無線端末から送信される無線データを受信する手段と、印刷手段とを有する通信装置において、
無線端末から受信した無線データ種別を認識する手段と、
受信したデータが通信回線送信データの場合には、通信回線への送信処理を行う手段と、
受信したデータが印刷データの場合には、受信したデータを所定のフォーマットに変換して印刷手段による印刷処理を行うための手段とを有することを特徴とする通信装置。
【請求項１３】
無線端末から送信される無線データには、当該データが通信回線送信データか印刷データかを示す情報が付加されており、
前記通信装置は、受信したデータ内の前記情報を読み取る手段と、
読み取った情報に従ってデータ処理方法を選択する手段とを有することを特徴とする請求項１２に記載の通信装置。
【請求項１４】
通信回線に接続する手段と、無線端末から送信される無線データを受信する手段と、印刷手段とを有する通信装置と、該通信装置と無線通信回線で接続された無線端末から構成される通信システムにおいて、
無線端末においては、
無線端末から通信装置に対してデータを送信したい場合には、既に通信装置との間で無線データ通信回線が接続されているかどうかを判断する手段と、
無線データ通信回線が接続されていない場合には、無線端末は通信装置に対して無線データ通信回線の接続要求を行う手段と、
無線データ通信回線が接続されている場合には、無線端末は通信装置に対して無線データ通信回線の接続要求を行わない手段とを有し、
通信装置においては、
無線端末から受信した無線データ種別を認識する手段と、
受信したデータが通信回線送信データの場合には、通信回線への送信処理を行う手段と、
受信したデータが印刷データの場合には、受信したデータを所定のフォーマットに変換して印刷手段による印刷処理を行うための手段とを有することを特徴とする通信システム。
【請求項１５】
前記無線端末から送信される無線データ通信回線接続要求内には、送信するデータを通信回線に送信するか、印刷手段により印刷するかを指定する情報を含める手段と、
前記無線データ通信回線接続要求を受信した通信装置は、前記情報が通信回線への送信を示す場合には、通信回線への発信処理を行った上で無線データ通信回線の接続を行う手段と、
前記情報が印刷手段による印刷を示す場合には、通信回線への発信処理を行わないで、無線データ通信回線の接続を行う手段とを有することを特徴とする請求項１４に記載の通信システム。
【請求項１６】
印刷するデータを受信中に通信回線に送信されるデータを受信した場合には、通信回線への発信処理を開始する手段を有することを特徴とする請求項１２に記載の通信装置。
【請求項１７】
無線端末から受信したデータが通信回線に送信されるデータである場合には、前記データの速度変換を行う手段と、
速度変換したデータを通信回線に送信する手段と、
受信したデータが印刷するデータである場合には、受信データの中で無線データ通信プロトコルヘッダを削除したデータをメモリに格納する手段と、
メモリに格納したデータを所定のフォーマットに変換する手段と、
変換したデータを印刷手段に転送する手段とを有することを特徴とする請求項１２に記載の通信装置。
【手続補正２】
【補正対象書類名】明細書
【補正対象項目名】０００１
【補正方法】変更
【補正の内容】
【０００１】
【発明の属する技術分野】
本発明は、ＩＳＤＮなどの通信回線に接続されると共に、ＰＩＡＦＳ(PHS Internet Access Forum Standard)などの無線データ通信処理機能を有する通信装置、通信システム及びその通信方法に関するものである。


【手続補正３】
【補正対象書類名】明細書
【補正対象項目名】００１１
【補正方法】変更
【補正の内容】
【００１１】
本発明は、上記課題を解決するためになされたもので、データ端末から送信されるデータがインターネット等のネットワークアクセス用か、印刷用かを区別可能とし、無線チャネルを介してワイヤレス・ネットワークアクセスとワイヤレス・プリントを同時に行えるようにすることを目的とする。


【手続補正４】
【補正対象書類名】明細書
【補正対象項目名】００７２
【補正方法】変更
【補正の内容】
【００７２】
【発明の効果】
以上説明したように本発明によれば、データ端末から送信されるデータがインターネット等のネットワークアクセス用か、印刷用かを区別可能とし、無線チャネルを介してワイヤレス・ネットワークアクセスとワイヤレス・プリントを同時に行うことが可能となる。